(57)【要約】【課題】制御基板に搭載された表示パネル側への異物進入を防止可能な基板ケースを備えたコンロの制御装置を提供すること。【解決手段】コンロ制御用の制御基板と、制御基板の表面側に配設された表示手段と、制御基板の裏面に配設されたコネクタと、表示手段をコネクタに接続する接続手段と、表示手段と制御基板を表示手段側から収容する基板ケースを備えたコンロの制御装置において、基板ケースは、表示手段を視認するための透明窓部を備えた表示手段側の壁部と、この壁部の外周部に立設された周壁部を有し、周壁部は、制御基板の外周部に当接する当接部を有すると共に、接続手段を通す部分には制御基板に当接しない隙間部を形成し、制御基板の裏面側でこの隙間部を覆うカバー部を周壁部から内方に突出するように配設した。【選択図】図３
2020085353.tif 000002
【特許請求の範囲】
【請求項１】
コンロ制御用の制御基板と、前記制御基板の表面側に配設された表示手段と、前記制御基板の裏面に配設されたコネクタと、前記表示手段を前記コネクタに接続する接続手段と、前記表示手段と前記制御基板を前記表示手段側から収容する基板ケースを備えたコンロの制御装置において、
前記基板ケースは、前記表示手段を視認するための透明窓部を備えた前記表示手段側の壁部と、前記壁部の外周部に立設された周壁部を有し、
前記周壁部は、前記制御基板の外周部に当接する当接部を有すると共に、前記接続手段を通す部分には前記制御基板に当接しない隙間部を形成し、
前記制御基板の裏面側で前記隙間部を覆うカバー部が前記周壁部から内方に突出するように配設されたことを特徴とするコンロの制御装置。
【請求項２】
前記カバー部は、前記周壁部から前記制御基板に平行に延びる平行壁部と、前記周壁部から前記平行壁部よりも前記制御基板側で前記平行壁部と共に延びる１対の側壁部を備え、前記平行壁部と前記１対の側壁部により前記接続手段を前記制御基板の裏面側から覆うことを特徴とする請求項１に記載のコンロの制御装置。
【請求項３】
前記カバー部は、その内方先端部が前記コネクタに近接することを特徴とする請求項１又は２に記載のコンロの制御装置。
【発明の詳細な説明】
【技術分野】
【０００１】
本発明は、表示手段を備えたコンロの制御装置に関する。
【背景技術】
【０００２】
従来から、コンロの火力やタイマー機能、調理機能等の情報を分かり易く表示するための表示パネルが、コンロのトッププレートや開閉式のコンロの操作部等に設けられている。表示パネルは、コンロ内の配設スペースや作業性、製造コスト等の観点から、コンロの制御基板の例えば表面側に搭載され、表示パネル保護のために制御基板の裏面側が開放された基板ケースに表示パネル側から収容されたコンロの制御装置として取り付けられる。
【０００３】
基板ケースには表示パネルを視認するための透明窓部が設けられている。表示パネルは、制御基板に接続するためのフレキシブル基板等の接続手段を備えている。このフレキシブル基板は、制御基板を小型にするために、表示パネルから延びて制御基板の外周部の外側を通り、制御基板の裏面に配設されたコネクタに接続されている。
【０００４】
このようなコンロの制御装置は、例えばトッププレートの下面の所定の位置に基板ケースが固定される。トッププレートにもこの位置に透明窓部が設けられ、トッププレートと基板ケースの夫々の透明窓部を通して表示パネルを視認できる。
【０００５】
基板ケースはトッププレートの下面との間に埃や昆虫等の異物が進入しないようにシールされ、又はトッププレートに密着するように固定される。一方、基板ケースと制御基板の表面の間には表示パネルの収容スペースがあり、基板ケースと制御基板の外周部との間にはフレキシブル基板を通すための隙間がある。従って、この隙間から収容スペースに進入した異物が、基板ケースの透明窓部と表示パネルの間に進入して視認性が低下する虞がある。この異物はユーザが容易に除去できるものではないので、異物の進入を防ぐことが要求されている。
【０００６】
異物の進入を防ぐためのものではないが、例えば特許文献１には、表示部を搭載した基板からケース外部に延びるコードをケースの弾性板によって挟着保持する技術が記載されている。また、特許文献２には、遊技板の裏面側の電気ユニットから延びるフラットケーブルを遊技板の切欠部を通して遊技板の表面側の発光装置の端子部に圧着接続する技術が記載されている。何れもコードやフラットケーブルが通る隙間が狭められている。
【先行技術文献】
【特許文献】
【０００７】
【特許文献１】実開平１−１１８３１７号公報
【特許文献２】特許第３７２９８８３号公報
【発明の概要】
【発明が解決しようとする課題】
【０００８】
しかし、表示パネルを有するコンロの制御装置は、トッププレートとその下のグリル部の間や、開閉式の操作部の限られたスペースに配設されるので、特許文献１のように表示パネルを搭載した制御基板の全体を覆う基板ケースをコンロの制御装置に適用することが困難な場合があり、そのような基板ケースは製造コストが上昇し好ましくない。また、特許文献２の技術は、フラットケーブルが通る隙間を圧着接続用の配線接続装置（コネクタ）で覆うのでコネクタの位置がその隙間の位置に制限され、その接続も複数のビスにより圧着させるため作業性が良くないので好ましくない。フレキシブル基板を通すための隙間をシール部材で閉塞することも、作業性を損ない製造コストも上がるので好ましくない。
【０００９】
本発明の目的は、制御基板に搭載された表示パネル側への異物進入を防止可能な基板ケースを備えたコンロの制御装置を提供することである。
【課題を解決するための手段】
【００１０】
請求項１の発明のコンロの制御装置は、コンロ制御用の制御基板と、前記制御基板の表面側に配設された表示手段と、前記制御基板の裏面に配設されたコネクタと、前記表示手段を前記コネクタに接続する接続手段と、前記表示手段と前記制御基板を前記表示手段側から収容する基板ケースを備えたコンロの制御装置において、前記基板ケースは、前記表示手段を視認するための透明窓部を備えた前記表示手段側の壁部と、前記壁部の外周部に立設された周壁部を有し、前記周壁部は、前記制御基板の外周部に当接する当接部を有すると共に、前記接続手段を通す部分には前記制御基板に当接しない隙間部を形成し、前記制御基板の裏面側で前記隙間部を覆うカバー部が前記周壁部から内方に突出するように配設されたことを特徴としている。
【００１１】
上記構成によれば、基板ケースの周壁部が制御基板の外周部に当接し、制御基板の表面側の表示手段を制御基板の裏面のコネクタに接続する接続手段が通る制御基板の外周部と周壁部の間の隙間部が、制御基板の裏面側で周壁部から内方に突出するカバー部に覆われている。従って、隙間部を狭めることができ、表示パネル側への異物の進入を防ぐことができる。
【００１２】
請求項２の発明のコンロの制御装置は、請求項１の発明において、前記カバー部は、前記周壁部から前記制御基板に平行に延びる平行壁部と、前記周壁部から前記平行壁部よりも前記制御基板側で前記平行壁部と共に延びる１対の側壁部を備え、前記平行壁部と前記１対の側壁部により前記接続手段を前記制御基板の裏面側から覆うことを特徴としている。
【００１３】
上記構成によれば、カバー部が隙間部に加えて接続手段も覆うことにより表示パネル側への異物進入経路が更に狭められるので、表示パネル側への異物の進入を一層困難にすることができる。
【００１４】
請求項３の発明のコンロの制御装置は、請求項２の発明において、前記カバー部は、その内方先端部が前記コネクタに近接することを特徴としている。
【００１５】
上記構成によれば、接続手段が延びる方向からの表示パネル側への異物進入経路の入口であるカバー部材の内方先端部がコネクタに近接してその入口が狭められる。従って、表示パネル側への異物の進入を一層困難にすることができる。
【発明の効果】
【００１６】
本発明のコンロの制御装置によれば、制御基板に搭載された表示パネル側への異物進入を基板ケースによって防止することができる。
【図面の簡単な説明】
【００１７】
【図１】本発明の実施例に係るコンロの斜視図である。
【図２】本発明の実施例に係るコンロの制御装置の分解斜視図である。
【図３】本発明の実施例に係るコンロの制御装置を制御基板の裏面側から見た斜視図である。
【図４】コンロの制御装置を構成する基板ケースの内部を示す斜視図である。
【図５】第１の集合配線が通る第１の隙間部の要部拡大断面斜視図である。
【図６】第２の集合配線が通る第２の隙間部の要部拡大断面斜視図である。
【発明を実施するための形態】
【００１８】
以下、本発明を実施するための形態について実施例に基づいて説明する。
【実施例】
【００１９】
最初に、図１に基づいてコンロ１について説明する。
コンロ１は、調理台に組み込まれるビルトインタイプのガスコンロであり、トッププレート２の左側領域と右側領域と中央奥側領域にバーナ３ａ，３ｂ，３ｃを備え、トッププレート２の下側には手前に引き出し可能なグリルプレートを備えたグリル４と、操作部５を備えている。トッププレート２の中央手前側には、バーナ３ａ，３ｂ，３ｃの火力やタイマー機能、調理機能等の情報を視認できる天面表示部６が設けられている。中央奥側のバーナ３ｃの奥側には、グリル４の排気口７が設けられている。
【００２０】
天面表示部６は、トッププレート２の中央手前側に設けられた透明窓部６ａを通して、トッププレート２の下側に配設されたコンロの制御装置１０に装備された表示パネル１１の表示を視認するように構成されている。天面表示部６の下側にはグリル４が配設されており、限られた配設スペースにコンロの制御装置１０を配設するために、コンロの制御装置１０は小型化されている。
【００２１】
次に、コンロの制御装置１０について説明する。
図２，図３に示すように、コンロの制御装置１０は、表示パネル１１（表示手段）と、図示外のＬＳＩ等の電子部品が搭載されたコンロ制御用の制御基板１２と、これらを収容する基板ケース２０を有する。表示パネル１１は制御基板１２の表面側（上面側）に搭載されて図示外の締結部材や接着部材等で制御基板１２に固定される。制御基板１２の裏面側が開放された基板ケース２０は、この制御基板１２を表示パネル１１側から収容し、制御基板１２は基板ケース２０に例えば図示外の締結部材によって固定される。
【００２２】
表示パネル１１は、例えば液晶表示パネルであり、バックライト制御用のフレキシブル基板（第１の集合配線１５）と、表示制御用のフレキシブル基板（第２の集合配線１６）が表示パネル１１から延びている。これら第１，第２の集合配線１５，１６（接続手段）を曲げて制御基板１２の外周部の外側を通して制御基板１２の裏面に配設された第１，第２のコネクタ１７，１８に夫々接続することにより、制御基板１２を小型化している。尚、フレキシブル基板の代わりにフラットケーブル等も使用できるが、フレキシブル基板よりも配線密度が小さいので制御基板１２の小型化にはフレキシブル基板が有利である。
【００２３】
図４〜図６に示すように、基板ケース２０は、表示パネル１１を視認するための透明窓部２１ａを備えた表示パネル側の壁部２１と、この壁部２１の外周部に立設された周壁部２２とが、例えば合成樹脂材で一体的に形成されている。周壁部２２は、制御基板１２の表面外周部又は外周端面部が当接する当接部２２ａと、第１，第２の集合配線１５，１６を通す部分で制御基板１２が当接しないように後退させた第１，第２の後退部２２ｂ，２２ｃを有する。第１，第２の後退部２２ｂ，２２ｃと制御基板１２の外周部の間に、第１，第２の隙間部２５，２６が形成され、第１，第２の集合配線１５，１６が通っている。尚、第１，第２の隙間部２５，２６では、制御基板１２の端部も第１，第２の後退部２２ｂ，２２ｃから離隔するように後退させてあるが、後退させなくてもよい。
【００２４】
制御基板１２の裏面側からこの第１，第２の隙間部２５，２６を夫々覆う第１，第２のカバー部２７，２８が、周壁部２２から内方（基板ケース２０の内側）に向かって庇状に突出するように配設されている。制御基板１２を収容した状態では、第１，第２のカバー部２７，２８によって第１，第２の隙間部２５，２６が略視認できないように覆われる。制御基板１２の外周部の大部分が周壁部２２の当接部２２ａに当接するので、基板ケース２０の外側から制御基板１２の表面側に異物が進入可能な経路の大部分が遮断される。そして、第１，第２の隙間部２５，２６を通って制御基板１２の表面側に異物が進入可能な経路が、第１，第２のカバー部２７，２８によって狭められるので、異物の進入を防止できる。
【００２５】
第１のカバー部２７は、周壁部２２から制御基板１２に平行に延びる平行壁部２７ａと、周壁部２２から平行壁部２７ａよりも制御基板１２側で平行壁部２７ａと共に延びる１対の側壁部２７ｂ，２７ｃを備えている。平行壁部２７ａと１対の側壁部２７ｂ，２７ｃと制御基板１２で囲まれる空間に第１の集合配線１５が通され、平行壁部２７ａと１対の側壁部２７ｂ，２７ｃによって第１の集合配線１５が制御基板１２の裏面側から覆われる。
【００２６】
制御基板１２の裏面と１対の側壁部２７ｂ，２７ｃの間は、基板ケース２０に制御基板１２を収容する作業及び製造誤差等に対応可能な程度に離隔されているが、第１の隙間部２５における周壁部２２と制御基板１２の離隔距離よりも小さく、ここからの異物の進入は困難になっている。これにより表示パネル１１側への異物が進入可能な経路は、内方に延びた第１のカバー部２７の先端部を入口とした第１の集合配線１５に沿う経路になる。
【００２７】
ここで、第１のコネクタ１７は、第２のコネクタ１８と比べて配線数が少ない小型低背のコネクタであり、第１の集合配線１５は、第２の集合配線１６と比べて制御基板１２の裏面に近い位置を通る。そして、第１の集合配線１５が通る位置に応じて第１のカバー部２７の平行壁部２７ａを制御基板１２の裏面に近づけている。これにより、図５に示すように、平行壁部２７ａと１対の側壁部２７ｂ，２７ｃと制御基板１２で囲まれる空間に第１の集合配線１５が通された状態では、第１のカバー部２７の先端部からの異物が進入可能な経路が狭められるので、表示パネル１１側への異物の進入を防止できる。側壁部２７ｂと側壁部２７ｃの間の距離も第１の集合配線１５のサイズに応じて小さくすることにより、異物を一層進入し難くすることもできる。
【００２８】
図４，図６に示すように、第２のカバー部２８も第１のカバー部２７と同様に、周壁部２２から制御基板１２に平行に延びる平行壁部２８ａと、周壁部２２から平行壁部２８ａよりも制御基板１２側で平行壁部２８ａと共に延びる１対の側壁部２８ｂ，２８ｃを備えている。平行壁部２８ａと１対の側壁部２８ｂ，２８ｃと制御基板１２で囲まれる空間に第２の集合配線１６が通され、平行壁部２８ａと１対の側壁部２８ｂ，２８ｃによって第２の集合配線１６が制御基板１２の裏面側から覆われる。
【００２９】
周壁部２２から内方に延びた第２のカバー部２８の先端部（内方先端部）は、第２のコネクタ１８に近接している。また、制御基板１２の裏面と１対の側壁部２８ｂ，２８ｃの間も、基板ケース２０に制御基板１２を収容する作業及び製造誤差に対応可能な程度に離隔されているが、第２の隙間部２６における周壁部２２と制御基板１２の離隔距離よりも小さく、ここからの異物の進入は困難になっている。
【００３０】
第２のコネクタ１８は、第１のコネクタ１７よりも大型で高さ（厚み）があり、第２の集合配線１６は、第１の集合配線１５と比べて制御基板１２の裏面から離れた位置を通る。そして、第２の集合配線１６が通る位置に応じて第２のカバー部２８の平行壁部２８ａを制御基板１２の裏面から離している。それ故、図６に示すように、平行壁部２８ａと１対の側壁部２８ｂ，２８ｃと制御基板１２で囲まれる空間に第２の集合配線１６が通された状態では、第２の集合配線１６と制御基板１２の間が異物の進入経路になる虞がある。しかし、第２のカバー部２８の先端部は第２のコネクタ１８に近接しているので、その先端部の異物進入経路の入口が狭められ、表示パネル１１側への異物の進入を防止できる。尚、第１のカバー部２７の先端部も第１のコネクタ１７に近接させてもよい。
【００３１】
本発明の作用、効果について説明する。
基板ケース２０の周壁部２２は、その内壁に制御基板１２の表面外周部又は外周端面部が当接する当接部２２ａを有し、第１，第２の集合配線１５，１６を通す部分には第１，第２の隙間部２５，２６を有する。制御基板１２の外周部の大部分が周壁部２２の当接部２２ａに当接するので、基板ケース２０の外側から表示パネル１１側に異物が進入可能な経路の大部分を遮断することができる。そして、制御基板１２の裏面側で第１，第２の隙間部２５，２６を夫々覆う第１，第２のカバー部２７，２８を周壁部２２に配設したので、第１，第２の隙間部２５，２６を通って表示パネル１１側に異物が進入可能な経路が狭められ、第１，第２の隙間部２５，２６から表示パネル１１側への異物の進入を防止できる。
【００３２】
また、第１のカバー部２７は、平行壁部２７ａと１対の側壁部２７ｂ，２７ｃによって第１の集合配線１５を制御基板１２の裏面側から覆うので、制御基板１２の裏面と第１のカバー部２７の間からの異物の進入を防ぐことができる。同様に、第２のカバー部２８は、平行壁部２８ａと１対の側壁部２８ｂ，２８ｃによって第２の集合配線１６を制御基板１２の裏面側から覆うので、制御基板１２の裏面と第２のカバー部２８の間からの異物の進入を防ぐことができる。そして、第２のカバー部２８の先端部は第２のコネクタ１８に近接しているので、第２のカバー部２８の先端部からの異物の進入も防ぐことができる。
【００３３】
その他、当業者であれば、本発明の趣旨を逸脱することなく、上記実施形態に種々の変更を付加した形態で実施可能であり、本発明はそのような変更形態を包含するものである。
【符号の説明】
【００３４】
１      ：コンロ
２      ：トッププレート
５      ：操作部
６      ：天面表示部
１０    ：コンロの制御装置
１１    ：表示パネル
１２    ：制御基板
１５    ：第１の集合配線（接続手段）
１６    ：第２の集合配線（接続手段）
１７    ：第１のコネクタ
１８    ：第２のコネクタ
２０    ：基板ケース
２１    ：壁部
２１ａ  ：透明窓部
２２    ：周壁部
２２ａ  ：当接部
２２ｂ  ：第１の後退部
２２ｃ  ：第２の後退部
２５    ：第１の隙間部
２６    ：第２の隙間部
２７    ：第１のカバー部
２７ａ  ：平行壁部
２７ｂ  ：側壁部
２７ｃ  ：側壁部
２８    ：第２のカバー部
２８ａ  ：平行壁部
２８ｂ  ：側壁部
２８ｃ  ：側壁部
【図１】
2020085353.tif 000003
【図２】
2020085353.tif 000004
【図３】
2020085353.tif 000005
【図４】
2020085353.tif 000006
【図５】
2020085353.tif 000007
【図６】
2020085353.tif 000008